(57)【要約】 【課題】表面と裏面で属性の異なる用紙の両面に画像形成処理を行う場合において、ユーザの作業効率を向上させる。【解決手段】画像形成装置１０は、ＲＡＭ１１２及び記憶部１１３に、給紙部情報として、用紙の表面固有の属性を示す表面情報、用紙の裏面固有の属性を示す裏面情報、用紙自体の属性を示す共通情報、印刷制御条件情報を記憶する。そして、プリントジョブに基づいて両面印刷を行うに際し、画像形成装置１０は、表面情報、共通情報に基づいて、印刷制御条件情報から該当する画像形成条件を読み出し、当該画像形成条件に基づいて、プリントジョブにおいて指定される用紙の表面に画像形成処理を行う。また、裏面情報、共通情報に基づいて、印刷制御条件情報から該当する画像形成条件を読み出し、当該画像形成条件に基づいて、プリントジョブにおいて指定される用紙の裏面に画像形成処理を行う。【選択図】図３
2010023363.tif 000002
【特許請求の範囲】
【請求項１】
プリントジョブに基づいて画像形成処理を行う画像形成装置であって、
用紙の表面固有の属性を示す表面情報と、用紙の裏面固有の属性を示す裏面情報とを記憶する記憶部と、
前記プリントジョブに基づいて用紙の両面に画像形成処理を行うに際し、前記記憶部に記憶された表面情報に応じた画像形成条件で前記用紙の表面に画像形成処理を行い、前記記憶部に記憶された裏面情報に応じた画像形成条件で前記用紙の裏面に画像形成処理を行う制御部と、
を備える画像形成装置。
【請求項２】
前記記憶部は、更に前記用紙について、前記用紙の表面、裏面に共通である前記用紙自体の属性を示す共通情報を更に記憶し、
前記制御部は、前記記憶部に記憶された表面情報及び共通情報に応じた画像形成条件で前記用紙の表面に画像形成処理を行い、前記記憶部に記憶された裏面情報及び共通情報に応じた画像形成条件で前記用紙の裏面に画像形成処理を行う、
請求項１に記載の画像形成装置。
【請求項３】
前記表面情報と前記裏面情報と前記共通情報とをそれぞれ受け付ける操作部、
を更に備え、
前記制御部は、前記操作部により受け付けられた前記表面情報と前記裏面情報と前記共通情報とを記憶部に記憶させる、
請求項２に記載の画像形成装置。
【請求項４】
前記操作部により受け付けられる表面情報及び裏面情報に関する項目は、少なくとも用紙の加工種類及び用紙の色の何れかの項目を含み、
前記操作部により受け付けられる共通情報に関する項目は、少なくとも用紙の坪量及びパンチ穴の有無の何れかの項目を含む、
請求項３に記載の画像形成装置。
【請求項５】
格納された用紙を供給する給紙部、
を更に備え、
前記制御部は、前記プリントジョブに基づいて用紙の両面に画像形成処理を行うに際し、当該プリントジョブにおいて指定された用紙を、前記記憶部に記憶された表面情報、裏面情報及び共通情報に基づいて特定し、当該特定した用紙を前記給紙部に供給させる、
請求項２〜４の何れか一項に記載の画像形成装置。
【請求項６】
プリントジョブに基づいて画像形成処理を行うコンピュータを、
用紙の表面固有の属性を示す表面情報と、用紙の裏面固有の属性を示す裏面情報とを記憶する記憶部、
前記プリントジョブに基づいて用紙の両面に画像形成処理を行うに際し、前記記憶部に記憶された表面情報に応じた画像形成条件で前記用紙の表面に画像形成処理を行い、前記記憶部に記憶された裏面情報に応じた画像形成条件で前記用紙の裏面に画像形成処理を行う制御部、
として機能させるためのプログラム。
【請求項７】
前記記憶部は、更に前記用紙について、前記用紙の表面、裏面に共通である前記用紙自体の属性を示す共通情報を更に記憶し、
前記制御部は、前記記憶部に記憶された表面情報及び共通情報に応じた画像形成条件で前記用紙の表面に画像形成処理を行い、前記記憶部に記憶された裏面情報及び共通情報に応じた画像形成条件で前記用紙の裏面に画像形成処理を行う、
請求項６に記載のプログラム。
【請求項８】
前記コンピュータを、
前記表面情報と前記裏面情報と前記共通情報とをそれぞれ受け付ける操作部、
として更に機能させ、
前記制御部は、前記操作部により受け付けられた前記表面情報と前記裏面情報と前記共通情報とを記憶部に記憶させる、
請求項７に記載のプログラム。
【請求項９】
画像形成装置にプリントジョブを送信して当該画像形成装置に画像形成を行わせる印刷指示装置であって、
用紙の表面固有の属性を示す表面情報と、当該用紙の裏面固有の属性を示す裏面情報とを少なくとも一時的に記憶する記憶部と、
ユーザにより前記用紙の両面に対する画像形成が指示された場合、前記表面情報及び前記裏面情報を含むプリントジョブを生成して、画像形成装置に送信する制御部と、
を備える印刷指示装置。
【請求項１０】
前記記憶部は、更に前記用紙について、前記用紙の表面、裏面に共通である前記用紙自体の属性を示す共通情報を更に記憶し、
前記制御部は、前記プリントジョブとして前記共通情報を更に含むプリントジョブを生成する、
請求項９に記載の印刷指示装置。
【請求項１１】
画像形成装置にプリントジョブを送信して当該画像形成装置に画像形成を行わせるコンピュータを、
用紙の表面固有の属性を示す表面情報と、当該用紙の裏面固有の属性を示す裏面情報とを少なくとも一時的に記憶する記憶部、
ユーザにより前記用紙の両面に対する画像形成が指示された場合、前記表面情報及び前記裏面情報を含むプリントジョブを生成して、画像形成装置に送信する制御部、
として機能させるためのプログラム。
【請求項１２】
前記記憶部は、更に前記用紙について、前記用紙の表面、裏面に共通である前記用紙自体の属性を示す共通情報を更に記憶し、
前記制御部は、前記プリントジョブとして前記共通情報を更に含むプリントジョブを生成する、
請求項１１に記載のプログラム。
【発明の詳細な説明】
【技術分野】
【０００１】
本発明は、画像形成装置、印刷指示装置及びプログラムに関する。
【背景技術】
【０００２】
ＭＦＰ（Multifunction Peripheral）等の画像形成装置では、画像を形成する印刷用紙の用紙情報（用紙の紙質、用紙の色、用紙の坪量等）の入力を事前に受け付け、この用紙情報に基づいて画像形成処理の制御を切り換え、紙詰まりを軽減させたり画質を向上させたりしている。
【０００３】
また、近年は、自動で印刷用紙の用紙情報を検知し、検知した用紙情報に基づいて画像形成処理の制御を切り換える画像形成装置も広く普及している。例えば、普通紙と厚紙とで定着温度を変更する電子写真方式の画像形成装置が知られている（特許文献１参照）。
【０００４】
ところで、表面と裏面で属性の異なる印刷用紙（例えば、表面と裏面で加工種類が異なる印刷用紙）に対して両面印刷を行う場合、画像形成装置では、片面の用紙情報の入力しか受け付けることができない。従って、仮に表面及び裏面の各々について最適な条件で画像形成を行う必要が生じた場合、ユーザは、以下のような作業を余儀なくされるであろう。
【０００５】
即ち、まず、ユーザは、表面の用紙情報を画像形成装置に入力する。次に、ユーザは、画像形成装置に印刷用紙の表面に対しての片面印刷を行わせる。次に、ユーザは、片面印刷が行われた印刷用紙を給紙部に再セットする。次に、ユーザは、裏面の用紙情報を画像形成装置に入力する。次に、ユーザは、画像形成装置に印刷用紙の裏面に対しての片面印刷を行わせる。
【特許文献１】特開平５−２７６４２号公報
【発明の開示】
【発明が解決しようとする課題】
【０００６】
しかし、上述したような、表面と裏面で属性の異なる用紙の両面に画像形成処理を行う場合（両面印刷を行う場合）、片面印刷が行われた印刷用紙を給紙部に再セットし、且つ用紙情報の再入力を行う必要があるため、ユーザの作業効率が低下してしまう。
【０００７】
本発明は、上述したような課題に鑑みて為されたものであり、その目的とするところは、表面と裏面で属性の異なる用紙の両面に画像形成処理を行う場合において、ユーザの作業効率を向上させることである。
【課題を解決するための手段】
【０００８】
上記の課題を解決するために、請求項１に記載の発明は、
プリントジョブに基づいて画像形成処理を行う画像形成装置であって、
用紙の表面固有の属性を示す表面情報と、用紙の裏面固有の属性を示す裏面情報とを記憶する記憶部と、
前記プリントジョブに基づいて用紙の両面に画像形成処理を行うに際し、前記記憶部に記憶された表面情報に応じた画像形成条件で前記用紙の表面に画像形成処理を行い、前記記憶部に記憶された裏面情報に応じた画像形成条件で前記用紙の裏面に画像形成処理を行う制御部と、
を備える。
【０００９】
請求項２に記載の発明は、請求項１に記載の発明において、
前記記憶部は、更に前記用紙について、前記用紙の表面、裏面に共通である前記用紙自体の属性を示す共通情報を更に記憶し、
前記制御部は、前記記憶部に記憶された表面情報及び共通情報に応じた画像形成条件で前記用紙の表面に画像形成処理を行い、前記記憶部に記憶された裏面情報及び共通情報に応じた画像形成条件で前記用紙の裏面に画像形成処理を行う。
【００１０】
請求項３に記載の発明は、請求項２に記載の発明において、
前記表面情報と前記裏面情報と前記共通情報とをそれぞれ受け付ける操作部、
を更に備え、
前記制御部は、前記操作部により受け付けられた前記表面情報と前記裏面情報と前記共通情報とを記憶部に記憶させる。
【００１１】
請求項４に記載の発明は、請求項３に記載の発明において、
前記操作部により受け付けられる表面情報及び裏面情報に関する項目は、少なくとも用紙の加工種類及び用紙の色の何れかの項目を含み、
前記操作部により受け付けられる共通情報に関する項目は、少なくとも用紙の坪量及びパンチ穴の有無の何れかの項目を含む。
【００１２】
請求項５に記載の発明は、請求項２〜４の何れか一項に記載の発明において、
格納された用紙を供給する給紙部、
を更に備え、
前記制御部は、前記プリントジョブに基づいて用紙の両面に画像形成処理を行うに際し、当該プリントジョブにおいて指定された用紙を、前記記憶部に記憶された表面情報、裏面情報及び共通情報に基づいて特定し、当該特定した用紙を前記給紙部に供給させる。
【００１３】
請求項６に記載のプログラムは、
プリントジョブに基づいて画像形成処理を行うコンピュータを、
用紙の表面固有の属性を示す表面情報と、用紙の裏面固有の属性を示す裏面情報とを記憶する記憶部、
前記プリントジョブに基づいて用紙の両面に画像形成処理を行うに際し、前記記憶部に記憶された表面情報に応じた画像形成条件で前記用紙の表面に画像形成処理を行い、前記記憶部に記憶された裏面情報に応じた画像形成条件で前記用紙の裏面に画像形成処理を行う制御部、
として機能させる。
【００１４】
請求項７に記載の発明は、請求項６に記載の発明において、
前記記憶部は、更に前記用紙について、前記用紙の表面、裏面に共通である前記用紙自体の属性を示す共通情報を更に記憶し、
前記制御部は、前記記憶部に記憶された表面情報及び共通情報に応じた画像形成条件で前記用紙の表面に画像形成処理を行い、前記記憶部に記憶された裏面情報及び共通情報に応じた画像形成条件で前記用紙の裏面に画像形成処理を行う。
【００１５】
請求項８に記載の発明は、請求項７に記載の発明において、
前記コンピュータを、
前記表面情報と前記裏面情報と前記共通情報とをそれぞれ受け付ける操作部、
として更に機能させ、
前記制御部は、前記操作部により受け付けられた前記表面情報と前記裏面情報と前記共通情報とを記憶部に記憶させる。
【００１６】
請求項９に記載の発明は、
画像形成装置にプリントジョブを送信して当該画像形成装置に画像形成を行わせる印刷指示装置であって、
用紙の表面固有の属性を示す表面情報と、当該用紙の裏面固有の属性を示す裏面情報とを少なくとも一時的に記憶する記憶部と、
ユーザにより前記用紙の両面に対する画像形成が指示された場合、前記表面情報及び前記裏面情報を含むプリントジョブを生成して、画像形成装置に送信する制御部と、
を備える。
【００１７】
請求項１０に記載の発明は、請求項９に記載の発明において、
前記記憶部は、更に前記用紙について、前記用紙の表面、裏面に共通である前記用紙自体の属性を示す共通情報を更に記憶し、
前記制御部は、前記プリントジョブとして前記共通情報を更に含むプリントジョブを生成する。
【００１８】
請求項１１に記載のプログラムは、
画像形成装置にプリントジョブを送信して当該画像形成装置に画像形成を行わせるコンピュータを、
用紙の表面固有の属性を示す表面情報と、当該用紙の裏面固有の属性を示す裏面情報とを少なくとも一時的に記憶する記憶部、
ユーザにより前記用紙の両面に対する画像形成が指示された場合、前記表面情報及び前記裏面情報を含むプリントジョブを生成して、画像形成装置に送信する制御部、
として機能させる。
【００１９】
請求項１２に記載の発明は、請求項１１に記載の発明において、
前記記憶部は、更に前記用紙について、前記用紙の表面、裏面に共通である前記用紙自体の属性を示す共通情報を更に記憶し、
前記制御部は、前記プリントジョブとして前記共通情報を更に含むプリントジョブを生成する。
【発明の効果】
【００２０】
請求項１、６に記載の発明によれば、画像形成装置は、用紙の表面固有の属性を示す表面情報と、用紙の裏面固有の属性を示す裏面情報とを記憶する記憶部を備える。そして、画像形成装置の制御部は、プリントジョブに基づいて用紙の両面に画像形成処理を行うに際し、前記記憶部に記憶された表面情報に応じた画像形成条件で前記用紙の表面に画像形成処理を行う。また、前記記憶部に記憶された裏面情報に応じた画像形成条件で前記用紙の裏面に画像形成処理を行う。
【００２１】
そのため、表面と裏面で属性の異なる用紙の両面に画像形成処理を行う場合において、ユーザは、片面毎に用紙を再セットし、用紙の属性（用紙情報）を再入力する必要が無くなる。よって、ユーザの作業効率を向上させることができる。
【００２２】
請求項２、７に記載の発明によれば、前記記憶部は、用紙の表面及び裏面に共通である用紙自体の属性を示す共通情報を更に記憶する。そして、前記制御部は、前記記憶部に記憶された表面情報及び共通情報に応じた画像形成条件で前記用紙の表面に画像形成処理を行い、前記記憶部に記憶された裏面情報及び共通情報に応じた画像形成条件で前記用紙の裏面に画像形成処理を行う。従って、表面と裏面で属性の異なる用紙の両面に画像形成処理を行う場合において、両面で共通する属性について効率よく指定を行うことができる。
【００２３】
請求項３、８に記載の発明によれば、画像形成装置は、前記表面情報と前記裏面情報と前記共通情報とをそれぞれ受け付ける操作部を備える。そのため、ユーザは、用紙自体の属性、つまり表面と裏面とに共通する属性に関する項目に対しては、表面と裏面別々に設定の入力を行う必要は無い。即ち、ユーザは、表面固有の属性、裏面固有の属性に関する項目に対してのみ、別々に設定の入力を行えばよい。よって、表面と裏面で属性の異なる用紙の両面に画像形成処理を行う場合において、ユーザの作業効率を更に向上させることができる。
【００２４】
請求項４に記載の発明によれば、ユーザは、「用紙の加工種類」、「用紙の色」のような表面、裏面固有の属性については、表面と裏面別々に設定の入力を行い、「用紙の坪量」「パンチ穴の有無」のような用紙自体の属性については、表面と裏面別々に設定の入力を行う必要は無く、一度の入力で設定を行うことができる。
【００２５】
請求項５に記載の発明によれば、プリントジョブにおいて指定された用紙に画像形成処理を行うことができる。
【００２６】
請求項９、１１に記載の発明によれば、印刷指示装置は、用紙の表面固有の属性を示す表面情報と、当該用紙の裏面固有の属性を示す裏面情報とを少なくとも一時的に記憶する記憶部を備える。そして、制御部は、ユーザにより前記用紙の両面に対する画像形成が指示された場合、前記表面情報及び前記裏面情報を含むプリントジョブを生成して、画像形成装置に送信する。
【００２７】
そのため、表面と裏面で属性の異なる用紙の両面に画像形成処理を行う場合において、ユーザは、表面用のプリントジョブを画像形成装置に送信した後に画像形成装置に出向いて用紙を再セットし用紙の属性（用紙情報）を再入力して、また印刷指示装置から裏面用のプリントジョブを画像形成装置に送信する必要が無くなる。よって、ユーザの作業効率を向上させることができる。
【００２８】
請求項１０，１２の発明によれば、記憶部は、更に前記用紙について、前記用紙の表面、裏面に共通である前記用紙自体の属性を示す共通情報を更に記憶する。そして、制御部は、前記プリントジョブとして前記共通情報を更に含むプリントジョブを生成する。従って、表面と裏面で属性の異なる用紙の両面に画像形成処理を行うプリントジョブを生成する場合において、両面で共通する属性について効率よく指定を行うことができる。
【発明を実施するための最良の形態】
【００２９】
以下、図面を参照して、本発明に係る画像形成装置の一実施形態について説明する。
【００３０】
[画像形成システムのシステム構成]
図１に、画像形成システム１００のシステム構成を示す。図１に示すように、画像形成システム１００は、画像形成装置１０とクライアント端末２０とから構成されており、各装置はＬＡＮ等の通信ネットワークＮを介して、データ通信可能に接続されている。
【００３１】
画像形成装置１０は、コピー機能、画像読取機能、プリンタ機能を備えた、所謂ＭＦＰ（Multi-Function Peripheral）であり、クライアント端末２０から送信されるプリントジョブ（プリント指令）や、画像形成装置１０に備えられているスキャナ等の画像読取部から読み込んだ画像データ等に基づき、用紙に画像を形成する。
【００３２】
クライアント端末２０は、所謂パーソナルコンピュータであり、画像形成装置１０にプリントジョブを送信する機能を有し、印刷指示装置として振舞う。クライアント端末２０には、プリンタドライバプログラム（以下、単にプリンタドライバと称することがある。）がインストールされており、このプリンタドライバの機能を用いて画像形成時に適用されるプリント条件のデータ（印刷ジョブ情報）、画像データ等を含んだプリントジョブを生成し画像形成装置１０に送信する。
【００３３】
[画像形成装置の機能構成]
図２に、画像形成装置１０の構成を示す。図２に示すように、画像形成装置１０は、制御部１１、ＡＤＦ（Auto Document Feeder）１２、画像読取部１３、操作部１４、表示部１５、画像出力部１６、画像形成部１７、第１給紙部１８ａ、第２給紙部１８ｂ、第３給紙部１８ｃ、第４給紙部１８ｄを備えて構成されている。
【００３４】
ＡＤＦ１２は、自動原稿送り装置であり、単数又は複数枚の原稿を自動で画像読取部１３に搬送する。
【００３５】
画像読取部１３は、原稿台上の原稿の画像を光学的に読み取り画像データを生成する機能部である。詳しくは、画像読取部１３は、ＡＤＦ１２により搬送された原稿をコンタクトガラスを介して光走査し、又はプラテンガラス上に載置された原稿を光走査して、ＣＣＤ（Charge-Coupled Device）イメージセンサにより光電変換して原稿画像に記録された画像を読み取り、その画像の画像データを生成して画像形成部１７に出力する。
【００３６】
画像形成部１７は、画像を形成する機能部であり、図示しない感光体、転写ベルト、定着器、各種搬送ベルト等により構成される。画像形成部１７は、画像読取部１３により読み込まれた画像データ、又は通信Ｉ／Ｆ部を介して受け取ったプリントジョブから、印刷用紙に画像を形成し、画像出力部１６に送り出す。画像の形成方式としては、電子写真方式や静電記録方式等の既知の作像プロセスを利用する。また、画像形成部１７は、印刷用紙の表面と裏面の両面に画像を形成することが可能である。
【００３７】
制御部１１は、各機能部を制御し、ＣＰＵ（Central Processing Unit）、ＲＡＭ（Random Access Memory）、記憶部等から構成される。詳しくは後述する。
【００３８】
第１給紙部１８ａ、第２給紙部１８ｂ、第３給紙部１８ｃ、第４給紙部１８ｄは、用紙（印刷用紙）を格納する。また、格納された印刷用紙を画像形成部１７に送り出す。以下、第１給紙部１８ａ〜第４給紙部１８ｄをまとめて給紙部１８と称す。
【００３９】
操作部１４、表示部１５は、操作入力キーやタッチパネル等により一体となって構成される。操作部１４は、押下されたキーに対応する押下信号や、当接されたタッチパネルの位置に対応する位置信号等の操作信号を制御部１１に出力する。また、表示部１５は、給紙部情報設定画面（図７、図８参照）や印刷ジョブ情報入力画面（図９参照）等を表示する。
【００４０】
ユーザは、操作部１４や表示部１５を構成するタッチパネルにより、後述する給紙部情報の設定操作、印刷ジョブ情報の設定操作、印刷の開始操作等を行う。
【００４１】
画像出力部１６は、画像形成部１７から搬送される用紙を、制御部１１からの指示により、パンチ・ステープル・製本等のフィニッシング処理を加えて出力する機能部である。
【００４２】
[制御部の機能構成とデータ構成]
図３は、制御部１１と各機能部のブロック図である。制御部１１は、ＣＰＵ１１１、ＲＡＭ１１２、記憶部１１３及び通信Ｉ／Ｆ部１１４を備えて構成されており、それぞれがバスを介して通信可能に接続されている。また、制御部１１を構成する各機能部は、ＡＤＦ１２、画像読取部１３、操作部１４、表示部１５、画像出力部１６、画像形成部１７及び給紙部１８にバスを介して通信可能に接続されている。また、通信Ｉ／Ｆ部１１４はＬＡＮ等の通信ネットワークＮに通信可能に接続されている。
【００４３】
ＣＰＵ１１１は、記憶部１１３に記憶されている各種処理プログラムを読み出し、ＲＡＭ１１２内に形成されたワークエリア等に展開し、当該プログラムとの協働により各種処理を行う。例えば、ＣＰＵ１１１は、各機能部の動作の制御と、各機能部間のデータ入出力の制御等を行うことで画像形成装置１０を統括的に管理・制御する。各機能部とは具体的には、ＡＤＦ１２、画像読取部１３、操作部１４、表示部１５、画像出力部１６、画像形成部１７及び給紙部１８をいう。また、ＣＰＵ１１１は、プリントジョブを受信すると、当該プリントジョブを解析して各機能部に画像形成処理のための各命令を出力する。
【００４４】
ＲＡＭ１１２は、画像読取部１３から読み取った又は通信Ｉ／Ｆ部１１４から入力した種々のデータを一時的に記憶する部分で、記憶された画像データはＣＰＵ１１１によって処理され、必要に応じて記憶部１１３や画像形成部１７に転送される。
【００４５】
また、ＲＡＭ１１２は、プリントジョブを記憶する。プリントジョブとは、例えば印刷条件を示した印刷ジョブ情報と印刷対象の画像を示した画像データとから構成されている。画像データは、例えば、Ｃ（シアン）、Ｙ（イエロー）、Ｍ（マゼンタ）、Ｋ（ブラック）の４色から成る。ＣＰＵ１１１は、通信Ｉ／Ｆ部１１４を介して他の通信機器からプリントジョブを受信する。尚、画像データは、画像読取部１３から読み取られた情報、印刷ジョブ情報は、操作部１４からの入力信号によって設定された情報でもよい。通信Ｉ／Ｆ部１１４がプリントジョブを受信すると、ＣＰＵ１１１は、ＲＡＭ１１２に当該プリントジョブを記憶させる。尚、プリントジョブは、画像データに代えて印刷対象の画像を、たとえばＰＤＦ（Portable Document Format）形式やＸＰＳ（XML Paper Specification）形式等のファイル形式で有していてもよく、或いはＰＳ（PostScript（登録商標））、ＰＣＬ（Printer Control Language）等のＰＤＬ（Page Description Language）の形式であってもよい。
【００４６】
印刷ジョブ情報のデータ構成を図４に示す。印刷ジョブ情報ｄ１は、「ジョブＩＤ」「ユーザ名」「ジョブ名」「部数」「印刷方法」「用紙種類（表）」「用紙種類（裏）」「坪量」等の情報を有している。「印刷方法」とは、両面印刷か片面印刷かを示す情報であり、「両面」「片面」のいずれかの値をとる。ここで、「両面」は両面印刷、「片面」は片面印刷に対応する。
【００４７】
「用紙種類（表）」は、印刷用紙の表面における加工種類の情報、「用紙種類（裏）」は、印刷用紙の裏面における加工種類の情報であり、それぞれ「普通」「塗工」「ラフ」等の値をとる。ここで、「普通」は普通紙、「塗工」は塗工紙、「ラフ」はラフ紙に対応する。尚、「印刷方法」の値が「片面」の場合、「用紙種類（裏）」の値は無効となる。
【００４８】
「坪量」は、印刷用紙の１平方メートル当たりの重さである。「用紙種類（表）」は表面固有の属性、「用紙種類（裏）」は裏面固有の属性であるのに対し、「坪量」は用紙自体の属性である。また、用紙自体の属性は、表面と裏面に共通の属性でもある。
【００４９】
図３に戻り、記憶部１１３は、ＨＤＤ（Hard Disk Drive）や半導体の不揮発性メモリ等により構成される。記憶部１１３は、ＣＰＵ１１１が各機能部を制御するためのプログラム、画像形成装置１０の処理機能に関する情報等を格納し、ＣＰＵ１１１により必要に応じて読み出され、ＲＡＭ１１２上で実行処理される。
【００５０】
例えば、記憶部１１３は、給紙部情報ｄ２（図５参照）、印刷制御条件情報ｄ３（図６参照）等を記憶する。給紙部情報ｄ２は、給紙部１８に格納されている印刷用紙の属性を示す用紙情報である。また、印刷制御条件情報ｄ３は、印刷用紙の属性（用紙種類等）に応じた、印刷制御（画像形成処理）の処理パラメータ（画像形成条件）を示す情報である。これらの給紙部情報ｄ２と印刷制御条件情報ｄ３は、画像形成装置１０が電源を投入されて起動した時に、ＣＰＵ１１１によってＲＡＭ１１２に読み出される。
【００５１】
図５に給紙部情報ｄ２のデータ構成を示す。給紙部情報ｄ２は、第１給紙部１８ａに格納されている印刷用紙の用紙情報である第１給紙部情報ｄ２１、第２給紙部１８ｂに格納されている印刷用紙の用紙情報である第２給紙部情報ｄ２２、第３給紙部１８ｃに格納されている印刷用紙の用紙情報である第３給紙部情報ｄ２３、第４給紙部１８ｄに格納されている印刷用紙の用紙情報である第４給紙部情報ｄ２４から成る。第１給紙部情報ｄ２１〜第４給紙部情報ｄ２４のそれぞれは、「用紙サイズ」「用紙種類（表）」「用紙種類（裏）」「坪量」「色紙」「パンチ穴」等の用紙情報を有している。
【００５２】
ここで、用紙情報には、用紙の表面固有の属性を示す表面情報、用紙の裏面固有の属性を示す裏面情報、用紙自体の属性を示す共通情報がある。表面情報の例としては「用紙種類（表）」、裏面情報の例としては「用紙種類（裏）」、共通情報の例としては「用紙サイズ」「坪量」「色紙」「パンチ穴」が挙げられる。
【００５３】
図６に印刷制御条件情報ｄ３のデータ構成の一部を示す。図６に示す印刷制御条件情報ｄ３は、表面情報の一つである「用紙種類（表）」及び裏面の一つである「用紙種類（裏）」に応じた共通情報「坪量」毎の「定着温度」、「転写電流」「分離ＤＣ電圧」「給紙アシストファン」等の情報を表す。ＣＰＵ１１１は、これらの値に基づいて、各機能部に対して印刷制御に関する命令を送信する。具体的に、ＣＰＵ１１１は、該当する「定着温度」、「転写電流」「分離ＤＣ電圧」の値に基づいて、画像形成部１７に対して印刷制御に関する命令を送信する。また、ＣＰＵ１１１は、該当する「給紙アシストファン」の値に基づいて、給紙部１８に対して印刷制御に関する命令を送信する。
【００５４】
例えば、印刷ジョブ情報ｄ１に含まれる「用紙種類（表）」又は「用紙種類（裏）」が「塗工」、「坪量」が「７２−９１（ｇ／ｍ2）」の場合、ＣＰＵ１１１は、定着温度を１５０℃、転写電流を１０μＡ、分離ＤＣ電圧を５００Ｖとして画像を形成させる命令を画像形成部１７に送信し、給紙アシストファンをｏｎにして印刷用紙を給紙させる命令を給紙部１８に送信する。
【００５５】
また、印刷ジョブ情報ｄ１に含まれる「用紙種類（表）」又は「用紙種類（裏）」が「普通」、「坪量」が「１３１−１６１ｇ」の場合、ＣＰＵ１１１は、定着温度を１６５℃、転写電流を２５μＡ、分離ＤＣ電圧を４００Ｖとして画像を形成させる命令を画像形成部１７に送信し、給紙アシストファンをｏｆｆにして印刷用紙を給紙させる命令を給紙部１８に送信する。
【００５６】
そして、各機能部は、ＣＰＵ１１１から送信される命令に従って、印刷制御に関する処理を実行する。
【００５７】
図３に戻り、通信Ｉ／Ｆ部１１４は、ＬＡＮインターフェイスやモデム等により構成され、通信ネットワークＮ等を介してサーバ、クライアント、他の装置等の外部の機器とデータ通信を行う機能部である。通信Ｉ／Ｆ部１１４は、他の通信機器から給紙部情報設定データ、給紙部情報取得要求、プリントジョブ等を受信する。
【００５８】
ＣＰＵ１１１は、通信Ｉ／Ｆ部１１４によって給紙部情報設定データを受信すると、当該給紙部情報設定データに基づいて、給紙部情報ｄ２の値を更新する。具体的に、ＣＰＵ１１１は、第１給紙部１８ａに関する給紙部情報設定データを受信すると、当該給紙部情報設定データに基づいて、ＲＡＭ１１２及び記憶部１１３に記憶されている第１給紙部情報ｄ２１の「用紙種類（表）」「用紙種類（裏）」「坪量」「色紙」「パンチ穴」等の項目を更新する。
【００５９】
また、ＣＰＵ１１１は、通信Ｉ／Ｆ部１１４によってプリントジョブを受信すると、当該プリントジョブをＲＡＭ１１２に一時的に記憶させる。そして、プリントジョブに含まれる画像データを、画像形成部１７で印刷用紙に画像形成可能な印刷画像データに変換する変換処理をＲＡＭ１１２上で行う。画像データを画像形成可能な印刷画像データへと変換するための各種プログラムは記憶部１１３に格納されており、ＣＰＵ１１１によって必要なプログラムが読み出される。
【００６０】
また、ＣＰＵ１１１は、操作部１４からの入力信号に基づいて、給紙部情報ｄ２の値を更新する。具体的に、ＣＰＵ１１１は、第１給紙部１８ａに関する給紙部情報ｄ２を更新する旨の入力信号を操作部１４から受信すると、当該入力信号に基づいて、ＲＡＭ１１２及び記憶部１１３に記憶されている第１給紙部情報ｄ２１の「用紙種類（表）」「用紙種類（裏）」「坪量」「色紙」「パンチ穴」等の項目を更新する。
【００６１】
また、ＣＰＵ１１１は、画像読取部１３から画像データを受信し、操作部１４からの入力信号に基づいて印刷ジョブ情報を生成（設定）すると、当該画像データと印刷ジョブ情報とをプリントジョブとしてＲＡＭ１１２に一時的に記憶させる。そして、プリントジョブに含まれる画像データを、画像形成部１７で印刷用紙に画像形成可能な印刷画像データに変換する変換処理をＲＡＭ１１２上で行う。
【００６２】
また、ＣＰＵ１１１は、操作部１４からの入力信号に基づいて、給紙部情報設定画面１５１（図７、図８参照）、印刷ジョブ情報入力画面１５２（図９）を表示部１５に表示させる。
【００６３】
また、ＣＰＵ１１１は、通信Ｉ／Ｆ部１１４によって給紙部情報取得要求を受信すると、ＲＡＭ１１２に記憶されている給紙部情報ｄ２を当該給紙部情報取得要求の送信元に送信する。
【００６４】
[給紙部情報設定画面]
次に、図７、図８に表示部１５が表示する給紙部情報設定画面１５１の画面例を示す。図７、図８は同一の画面である。
【００６５】
図７、図８に示すように、給紙部情報設定画面１５１は、設定項目表示領域ｅ１、設定値表示領域ｅ２、候補値表示領域ｅ３等から構成される。
【００６６】
設定項目表示領域ｅ１には、この給紙部情報設定画面１５１において設定する、給紙部情報ｄ２に含まれる用紙情報（表面情報、裏面情報、共通情報）の一覧が表示される。具体的に、当該設定項目表示領域ｅ１には、給紙部情報ｄ２に含まれる用紙情報のうち、「用紙種類（表）」「用紙種類（裏）」「坪量」「色紙」「パンチ穴」等の設定項目が表示される。ユーザ操作に基づいて、これらの設定項目のいずれかが選択される。例えば、図７では表面情報の「用紙種類（表）」が選択されており、図８では共通情報の「坪量」が選択されている。
【００６７】
設定値表示領域ｅ２には、設定項目表示領域ｅ１に表示されている用紙情報に設定されている値が表示される。例えば、図７、図８において、「用紙種類（表）」には「塗工」が、「用紙情報（裏）」には「普通」が、「坪量」には「６２−７１ｇ」が、「色紙」には「白」が、「パンチ穴」には「なし」が設定されている。
【００６８】
候補値表示領域ｅ３には、設定項目表示領域ｅ１において選択されている用紙情報に設定可能な値の候補が表示されている。例えば、図７では、設定項目表示領域ｅ１において選択されている「用紙種類（表）」に設定可能な値の候補として「塗工」「追い刷り」「上質」「普通」「書籍用」「ラフ」「未印字挿入」が表示される。図８では、設定項目表示領域ｅ１において選択されている「坪量」に設定可能な値の候補として「４０−４９ｇ」「５０−６１ｇ」「６２−７１ｇ」「７２−９１ｇ」「９２−１３０ｇ」「１３１−１６１ｇ」「１６２−２１６ｇ」「２１７−２４４ｇ」が表示される。ユーザ操作に基づいて、これらの候補値の何れかが選択される。例えば、図７では、「塗工」が選択されており、図８では「６２−７１ｇ」が選択されている。候補値の何れかが選択されると、ＣＰＵ１１１は、選択された値を、設定項目表示領域ｅ１において選択されている用紙情報の値として設定する。そして、ＣＰＵ１１１は、設定した用紙情報の値を設定値表示領域ｅ２に反映する。
【００６９】
ここで、前述のように、設定項目表示領域ｅ１に表示されている用紙情報のうち、「用紙種類（表）」は、印刷用紙の表面固有の属性を示す表面情報、「用紙種類（裏）」は、印刷用紙の裏面固有の属性を示す裏面情報である。また、「坪量」「色紙」「パンチ穴」は、印刷用紙自体の属性を示す共通情報である。
【００７０】
このように、給紙部情報設定画面１５１上で、ユーザは、印刷用紙について、表面の属性、裏面の属性の各々を指定することができる。従って、同一の印刷用紙についても、表面と裏面とを独立して登録することができる。又、給紙部情報設定画面１５１上で、ユーザは、印刷用紙自体の属性、つまり表面と裏面とに共通する属性に関する項目「坪量」「色紙」「パンチ穴」に対しては、表面と裏面別々に設定の入力を行う必要は無い。即ち、ユーザは、表面固有の属性、裏面固有の属性に関する項目「用紙情報」（「用紙情報（表）」と「用紙情報（裏）」）に対してのみ、別々に設定の入力を行えばよい。よって、表面と裏面で属性の異なる印刷用紙の両面の各々に最適な条件で画像形成処理を行う場合において、ユーザの作業効率を向上させることができる。
【００７１】
[印刷ジョブ情報入力画面]
次に、図９に表示部１５が表示する印刷ジョブ情報入力画面１５２の画面例を示す。
【００７２】
図９に示すように、印刷ジョブ情報入力画面１５２は、両面片面設定領域ｅ４、給紙部情報表示領域ｅ５等から構成される。
【００７３】
両面片面設定領域ｅ４は、印刷ジョブ情報ｄ１の「印刷方法」の値を設定するための領域である。
【００７４】
給紙部情報表示領域ｅ５には、ＲＡＭ１１２及び記憶部１１３に記憶されている給紙部情報ｄ２の値が表示される。ＣＰＵ１１１は、印刷ジョブ情報入力画面１５２を表示する旨の入力信号を操作部１４から受信すると、ＲＡＭ１１２に記憶されている給紙部情報ｄ２に基づいて給紙部情報表示領域ｅ５に情報を表示させる。
【００７５】
[クライアント端末の機能的構成]
図１０に、クライアント端末２０の構成を示す。図１０に示すように、クライアント端末２０は、ＣＰＵ２１、操作部２２、表示部２３、通信部２４、ＲＡＭ（Random Access Memory）２５、記憶部２６を備えて構成され、各部はバス２７により接続されている。
【００７６】
ＣＰＵ２１は、操作部２２から入力される操作信号又は通信部２４により受信される指示信号に応じて、記憶部２６に記憶されている各種処理プログラムを読み出し、ＲＡＭ２５内に形成されたワークエリアに展開し、当該プログラムとの協働により各種処理を行う。
【００７７】
操作部２２は、カーソルキー、数字入力キー、及び各種機能キー等を備えたキーボードと、マウスなどのポインティングデバイスを備えて構成され、キーボードに対するキー操作やマウス操作により入力された指示信号をＣＰＵ２１に出力する。
【００７８】
表示部２３は、ＬＣＤ（Liquid Crystal Display）により構成され、ＣＰＵ２１から入力される表示信号の指示に従って、操作部２２からの入力指示やデータ等を表示する。
【００７９】
通信部２４は、ＬＡＮアダプタ、ルータ、ＴＡ等を備え、通信ネットワークＮを介して接続された画像形成装置１０等の外部機器との間でデータの送受信を行う。
【００８０】
ＲＡＭ２５は、ＣＰＵ２１により実行される各種処理プログラム及びこれらプログラムに係るデータを一時的に記憶するワークエリアを形成する。
【００８１】
記憶部２６は、ＨＤＤや半導体の不揮発性メモリ等により構成される記憶装置であり、各種プログラム、設定データ、画像データ等を記憶する。また、記憶部２６は、プリンタドライバプログラム２６１を記憶している。
【００８２】
ＣＰＵ２１は、当該プリンタドライバプログラム２６１を記憶部２６から読み出してＲＡＭ２５に展開し、当該プログラムとの協働により画像形成装置１０に送信するプリントジョブを生成する。そして、ＣＰＵ２１は、当該プリントジョブを通信部２４を介して画像形成装置１０に送信する。
【００８３】
具体的には、ＣＰＵ２１は、操作部２２を介して行われるユーザ操作に基づいて、プリント対象となる画像データ（画像ファイル或いは原稿ファイル）等を指定し、プリンタドライバ画面２３１（図１２、図１３参照）を表示部２３に表示させる。そして、ＣＰＵ２１は、操作部２２からの入力信号に基づいて、部数（印刷部数）、印刷範囲、印刷方法（両面印刷／片面印刷）等の情報を設定し、印刷ジョブ情報を生成する。そして、ＣＰＵ２１は、この印刷ジョブ情報と指定した画像データとに基づいてプリントジョブを生成する。そして、ＣＰＵ２１は、このプリントジョブを通信部２４を介して画像形成装置１０に送信する。
【００８４】
また、ＣＰＵ２１は、前記プリンタドライバプログラム２６１との協働により画像形成装置１０に送信する給紙部情報設定データを生成する。そして、ＣＰＵ２１は、当該給紙部情報設定データを通信部２４を介して画像形成装置１０に送信する。
【００８５】
具体的に、ＣＰＵ２１は操作部２２を介して行われるユーザ操作に基づいて、プリンタドライバ画面２３１（図１１参照）を表示部２３に表示させる。そして、ＣＰＵ２１は、操作部２２からの入力信号に基づいて、「用紙サイズ」「用紙種類（表）」「用紙種類（裏）」「坪量」「色紙」等の用紙属性情報を含む給紙部情報設定データを生成する。そして、ＣＰＵ２１は、この給紙部情報設定データを通信部２４を介して画像形成装置１０に送信する。
【００８６】
尚、この給紙部情報設定データは、それぞれの給紙部毎に対応するデータとして生成される。例えば、第１給紙部１８ａに関する給紙部情報設定データ、第２給紙部１８ｂに関する給紙部情報設定データ、第３給紙部１８ｃに関する給紙部情報設定データ、第４給紙部１８ｄに関する給紙部情報設定データとして生成される。
【００８７】
[プリンタドライバ画面]
次に、図１１〜図１３に表示部２３が表示するプリンタドライバ画面２３１の画面例を示す。図１１は給紙部情報を設定する為のプリンタドライバ画面２３１ａ、図１２、図１３は印刷ジョブ情報を設定する為のプリンタドライバ画面２３１ｂ、２３１ｃである。
【００８８】
図１１〜図１３に示すように、プリンタドライバ画面２３１ａ〜２３１ｃは、設定項目選択領域ｅ６、情報設定領域ｅ７等から構成される。
【００８９】
設定項目選択領域ｅ６は、プリンタドライバ画面２３１において設定する項目を選択するための領域である。この設定項目選択領域ｅ６には、「簡易設定」「レイアウト」「仕上げ」「用紙」「表紙」「ページ設定」等の項目が表示される。ユーザ操作に基づいて、これらの項目のいずれかが選択される。
【００９０】
情報設定領域ｅ７は、設定項目選択領域ｅ６において選択されている項目に関する情報を設定するための領域である。
【００９１】
図１１は、項目「用紙」が選択された場合に表示される。図１１に示すように、情報設定領域ｅ７には、トレイ／用紙情報取得ボタンｂ１と候補値表示ボタンｂ２と給紙部情報ｄ２を設定するための情報とが表示される。具体的に、情報設定領域ｅ７には、各給紙部（第１給紙部１８ａ〜第４給紙部１８ｄ）の「用紙サイズ」「用紙種類（表）」「用紙種類（裏）」「坪量」「色紙」「穴あき」等の用紙情報が表示される。尚、「穴あき」は「パンチ穴」に対応する。
【００９２】
トレイ／用紙情報取得ボタンｂ１がユーザ操作に基づいて押下されると、ＣＰＵ２１は、通信部２４を介して画像形成装置１０に給紙部情報取得要求を送信する。そして、ＣＰＵ２１は、画像形成装置１０から給紙部情報ｄ２を受信し、ＲＡＭ２５に記憶させる。そして、ＣＰＵ２１は、当該給紙部情報ｄ２に基づいて、各給紙部（第１給紙部１８ａ〜第４給紙部１８ｄ）の用紙情報を表示部２３に表示させる。また、ＣＰＵ２１は、給紙部情報ｄ２を給紙部情報設定データの初期値とする。
【００９３】
また、各用紙情報の候補値表示ボタンｂ２がユーザ操作に基づいて押下されると、対応する用紙情報に設定可能な値の候補が表示される。例えば、トレイ１の「用紙種類（表）」の候補値表示ボタンｂ２を押下すると、「塗工」「追い刷り」「上質」「普通」「書籍用」「ラフ」「未印字挿入」が表示される。ユーザ操作に基づいて、これらの候補値の何れかが選択される。候補値の何れかが選択されると、ＣＰＵ２１は、選択された値を給紙部情報設定データに設定し更新する。また、情報設定領域ｅ７に表示されている情報を更新する。
【００９４】
そして、ＯＫボタンｂ３や、適用ボタンｂ４がユーザ操作に基づいて押下されると、ＣＰＵ２１は、通信部２４を介して給紙部情報設定データを画像形成装置１０に送信する。
【００９５】
ここで、前述のように、情報設定領域ｅ７に表示されている用紙情報のうち、「用紙種類（表）」は、印刷用紙の表面固有の属性を示す表面情報、「用紙種類（裏）」は、印刷用紙の裏面固有の属性を示す裏面情報である。また、「用紙サイズ」「坪量」「色紙」「穴あき」は、印刷用紙自体の属性を示す共通情報である。
【００９６】
このように、プリンタドライバ画面２３１ａ上で、ユーザは、印刷用紙自体の属性、つまり表面と裏面とに共通する属性に関する項目「坪量」「色紙」「穴あき」に対しては、表面と裏面別々に設定の入力を行う必要は無い。即ち、ユーザは、表面固有の属性、裏面固有の属性に関する項目「用紙情報」（「用紙情報（表）」と「用紙情報（裏）」）に対してのみ、別々に設定の入力を行えばよい。よって、表面と裏面で属性の異なる印刷用紙の両面に画像形成処理を行う場合において、ユーザの作業効率を向上させることができる。
【００９７】
図１２は、設定項目選択領域ｅ６において、項目「レイアウト」が選択された場合に表示される。図１２に示すように、情報設定領域ｅ７には、印刷ジョブ情報ｄ１の「印刷方法」の値を設定するための領域である印刷方法設定領域ｅ７１等が表示される。
【００９８】
ユーザ操作に基づいて、印刷方法設定領域ｅ７１のチェックボックスにチェックを入れたり外したりすることにより、ＣＰＵ２１は、印刷ジョブ情報ｄ１の「印刷方法」の設定を行う。
【００９９】
そして、ＯＫボタンｂ３や、適用ボタンｂ４がユーザ操作に基づいて押下されると、ＣＰＵ２１は、「印刷方法」やその他の項目を、画像形成装置１０に送信するための印刷ジョブ情報ｄ１に反映する。
【０１００】
図１３は、設定項目選択領域ｅ６において、項目「仕上げ」が選択された場合に表示される。図１３に示すように、情報設定領域ｅ７には、給紙部１８（第１給紙部１８ａ〜第４給紙部１８ｄ）を選択するための領域である給紙部選択領域ｅ７２等が表示される。
【０１０１】
ユーザ操作に基づいて、給紙部選択領域ｅ７２から第１給紙部１８ａ（トレイ１）、第２給紙部１８ｂ（トレイ２）、第３給紙部１８ｃ（トレイ３）、第４給紙部１８ｄ（トレイ４）、自動の何れかが選択されると、ＣＰＵ２１は、選択された給紙部１８の給紙部情報ｄ２（第１給紙部情報ｄ２１〜第４給紙部情報ｄ２４）の値を、画像形成装置１０に送信するための印刷ジョブ情報ｄ１に反映する。尚、ＣＰＵ２１は、通信部２４を介して画像形成装置１０に給紙部情報取得要求を送信し、給紙部情報ｄ２を取得する。
【０１０２】
ユーザ操作に基づいて図示しない印刷ボタンが押下されると、ＣＰＵ２１は、プリンタドライバ画面２３１ｂ、２３１ｃ等で設定された印刷ジョブ情報ｄ１を含むプリントジョブを通信部２４を介して画像形成装置１０に送信し、画像形成処理を実行させる。即ち、図４の例に従えば、画像形成装置１０に送信されるプリントジョブは、印刷用紙表面に固有の属性として塗工紙を示す情報を含み、用紙裏面に固有の属性として普通紙を示す情報を含んだ印刷ジョブ情報を有している。
【０１０３】
[画像形成装置の具体的な動作]
次に、図１４を用いて、ＣＰＵ１１１が行う画像形成に関する一覧の処理の具体的な動作について説明する。図１４は、画像形成に関する一覧の処理を示すフローチャートである。尚、本フローチャートでは、クライアント端末２０からプリントジョブが送信される場合を想定している。
【０１０４】
まず、ＣＰＵ１１１は、通信Ｉ／Ｆ部１１４によりクライアント端末２０からプリントジョブを受信すると（ステップＳ１；ＹＥＳ）、当該プリントジョブの解析を行う（ステップＳ２）。
【０１０５】
具体的に、ＣＰＵ１１１は、プリントジョブに含まれる印刷ジョブ情報ｄ１の「印刷方法」の値を参照する。そして、「印刷方法」の値が「両面」の場合、ＣＰＵ１１１は、当該プリントジョブによる画像形成処理は両面印刷であると判定する（ステップＳ３；ＹＥＳ）。一方、「印刷方法」の値が「片面」の場合、ＣＰＵ１１１は、当該プリントジョブによる画像形成処理は片面印刷であると判定する（ステップＳ３；ＮＯ）。
【０１０６】
両面印刷の場合（ステップＳ３；ＹＥＳ）、ＣＰＵ１１１は、処理中の印刷面の表裏を判定する（ステップＳ４）。
【０１０７】
印刷面が表面の場合（ステップＳ４；ＹＥＳ）、ＣＰＵ１１１は、印刷ジョブ情報ｄ１に含まれる表面情報、共通情報、ＲＡＭ１１２に記憶されている印刷制御条件情報ｄ３（図５参照）等に基づいて画像形成処理の制御を行う（ステップＳ５）。
【０１０８】
具体的に、図４の例で説明すると、ＣＰＵ１１１は、「用紙種類（表）」「用紙種類（裏）」のうち、表面情報「用紙情報（表）」の値である「塗工」を「用紙種類」の値とする。そして、ＣＰＵ１１１は、印刷制御条件情報（図５参照）を参照し、「用紙種類」が「塗工」で、共通情報「坪量」が「６２−７１（ｇ／ｍ2）」である場合の各パラメータの値に基づいて、印刷制御に関する命令を各機能部に出力する。そして、各機能部は、ＣＰＵ１１１から送信される命令に従って、印刷制御に関する処理を実行する。ここで、各パラメータの値は、「定着温度」が１５０℃、「転写電流」が１０（μＡ）、「分離ＤＣ電圧」が５００Ｖ、「給紙アシストファン」がｏｎとなる。
【０１０９】
一方、印刷面が裏面の場合（ステップＳ４；ＮＯ）、ＣＰＵ１１１は、印刷ジョブ情報ｄ１に含まれる裏面情報、共通情報、ＲＡＭ１１２に記憶されている印刷制御条件情報ｄ３等に基づいて画像形成処理の制御を行う（ステップＳ６）。
【０１１０】
具体的に、図４の例で説明すると、ＣＰＵ１１１は、「用紙種類（表）」「用紙種類（裏）」のうち、裏面情報「用紙情報（裏）」の値である「普通」を「用紙種類」の値とする。そして、ＣＰＵ１１１は、印刷制御条件情報（図５参照）を参照し、「用紙種類」が「普通」で、共通情報「坪量」が「６２−７１（ｇ／ｍ2）」である場合の各パラメータの値に基づいて、印刷制御に関する命令を各機能部に出力する。そして、各機能部は、ＣＰＵ１１１から送信される命令に従って、印刷制御（画像形成制御）に関する処理を実行する。ここで、各パラメータの値は、「定着温度」が１６０℃、「転写電流」が２０（μＡ）、「分離ＤＣ電圧」が５００Ｖ、「給紙アシストファン」がｏｆｆとなる。
【０１１１】
そして、ステップＳ５、Ｓ６における処理が終了すると、ＣＰＵ１１１は、印刷する次ページ分の画像データが有るか否かを判定する。つまりＣＰＵ１１１は、印刷が終了したか否かを判定する（ステップＳ８）。
【０１１２】
印刷が終了したと判定すると（ステップＳ８；ＹＥＳ）、ＣＰＵ１１１は、画像形成に関する一連の処理を終了する。一方、印刷が終了していないと判定すると（ステップＳ８；ＮＯ）、ＣＰＵ１１１は、次の印刷用紙の印刷面の表裏を判定する（ステップＳ４）。そして、画像形成に関する一連の処理を続行する。
【０１１３】
ステップＳ３に戻り、片面印刷の場合（ステップＳ３；ＮＯ）、ＣＰＵ１１１は、印刷ジョブ情報ｄ１に含まれる表面情報、共通情報、ＲＡＭ１１２に記憶されている印刷制御条件情報ｄ３等に基づいて画像形成処理の制御を行う（ステップＳ７）。
【０１１４】
そして、ステップ７における処理が終了すると、ＣＰＵ１１１は、印刷する次ページ分の画像データが有るか否かを判定する。つまりＣＰＵ１１１は、印刷が終了したか否かを判定する（ステップＳ９）。
【０１１５】
印刷が終了したと判定すると（ステップＳ９；ＹＥＳ）、ＣＰＵ１１１は、画像形成に関する一連の処理を終了する。一方、印刷が終了していないと判定すると（ステップＳ９；ＮＯ）、ＣＰＵ１１１は、印刷ジョブ情報ｄ１に含まれる表面情報、共通情報、ＲＡＭ１１２に記憶されている印刷制御条件情報ｄ３等に基づいて、次のページの画像形成処理の制御を行う（ステップＳ７）。
【０１１６】
以上、本実施の形態によれば、画像形成装置１０は、ＲＡＭ１１２及び記憶部１１３に、給紙部情報ｄ２として、用紙の表面固有の属性を示す表面情報（「用紙種類（表）」）、用紙の裏面固有の属性を示す裏面情報（「用紙種類（裏）」）、用紙自体の属性を示す共通情報（「用紙サイズ」「坪量」「パンチ穴」）を記憶する。
【０１１７】
そして、プリントジョブに基づいて両面印刷を行うに際し、画像形成装置１０は、表面情報、共通情報に基づいて、印刷制御条件情報ｄ３から該当する画像形成条件（「定着温度」「転写電流」等）を読み出し、当該画像形成条件に基づいて、プリントジョブにおいて指定される用紙の表面に画像形成処理を行う。また、裏面情報、共通情報に基づいて、印刷制御条件情報ｄ３から該当する画像形成条件を読み出し、当該画像形成条件に基づいて、プリントジョブにおいて指定される用紙の裏面に画像形成処理を行う。
【０１１８】
そのため、表面と裏面で属性の異なる用紙の両面に画像形成処理を行う場合において、ユーザの作業効率を向上させることができる。
【０１１９】
具体的には、ユーザは、表面と裏面で属性の異なる用紙の両面への画像形成処理に先立ち、給紙部情報設定画面１５１又はプリンタドライバ画面２３１ａから給紙部情報ｄ２を
設定するための入力を行う。そして、表面と裏面で属性の異なる用紙の両面に画像形成処理を行う場合において、ユーザは、印刷ジョブ情報入力画面１５２又はプリンタドライバ画面２３１ｂ、２３１ｃから両面印刷の印刷ジョブ情報ｄ１を設定するための入力を行い、画像形成装置１０に画像形成処理を実行させる。そのため、ユーザは、片面毎に用紙を再セットし、用紙の属性（用紙情報）を再入力する必要が無くなり、作業効率を向上させることができる。
【０１２０】
尚、上記実施の形態において、用紙情報「色紙」を共通情報としたが、「色紙」を「色紙（表）」「色紙（裏）」とし、それぞれ表面情報、裏面情報としてもよい。
【０１２１】
尚、上記実施の形態における記述は、本発明に係る画像形成装置の一例であり、これに限定されるものではない。画像形成装置を構成する各機能部の細部構成及び細部動作に関しても適宜変更可能である。
【０１２２】
また、上述実施の形態では、プログラムを格納したコンピュータ読み取り可能な媒体としてＲＯＭやＨＤＤを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することが可能である。また、プログラムのデータを通信回線を介して提供する媒体として、キャリアウエーブ（搬送波）も適用可能である。
【図面の簡単な説明】
【０１２３】
【図１】画像形成システムのシステム構成図である。
【図２】画像形成装置の装置構成図である。
【図３】画像形成装置のブロック図である。
【図４】印刷ジョブ情報のデータ構成図である。
【図５】給紙部情報のデータ構成図である。
【図６】印刷制御条件情報のデータ構成図である。
【図７】画像形成装置における給紙部情報設定画面の画面例である。
【図８】画像形成装置における給紙部情報設定画面の画面例である。
【図９】画像形成装置における印刷ジョブ情報入力画面の画面例である。
【図１０】クライアント端末のブロック図である。
【図１１】プリンタドライバ画面の画面例である。
【図１２】プリンタドライバ画面の画面例である。
【図１３】プリンタドライバ画面の画面例である。
【図１４】画像形成装置で実行される処理を示すフローチャートである。
【符号の説明】
【０１２４】
１０      画像形成装置
１１      制御部
１２      ＡＤＦ
１３      画像読取部
１４      操作部
１５      表示部
１６      画像出力部
１７      画像形成部
１８      給紙部
１８ａ    第１給紙部
１８ｂ    第２給紙部
１８ｃ    第３給紙部
１８ｄ    第４給紙部
２０      クライアント端末
２１      ＣＰＵ
２２      操作部
２３      表示部
２４      通信部
２５      ＲＡＭ
２６      記憶部
２７      バス
１００    画像形成システム
１１１    ＣＰＵ
１１２    ＲＡＭ
１１３    記憶部
１１４    通信Ｉ／Ｆ部
１５１    給紙部情報設定画面
１５２    印刷ジョブ情報入力画面
２３１    プリンタドライバ画面
２６１    プリンタドライバプログラム
ｄ１      印刷ジョブ情報
ｄ２      給紙部情報
ｄ３      印刷制御条件情報
ｄ２１    第１給紙部情報
ｄ２２    第２給紙部情報
ｄ２３    第３給紙部情報
ｄ２４    第４給紙部情報
ｂ１      トレイ／用紙情報取得ボタン
ｂ２      候補値表示ボタン
ｂ３      ＯＫボタン
ｂ４      適用ボタン
ｅ１      設定項目表示領域
ｅ２      設定値表示領域
ｅ３      候補値表示領域
ｅ４      両面片面設定領域
ｅ５      給紙部情報表示領域
ｅ６      設定項目選択領域
ｅ７      情報設定領域
ｅ７１    印刷方法設定領域
ｅ７２    給紙部選択領域
Ｎ        通信ネットワーク
【図１】
2010023363.tif 000003
【図２】
2010023363.tif 000004
【図３】
2010023363.tif 000005
【図４】
2010023363.tif 000006
【図５】
2010023363.tif 000007
【図６】
2010023363.tif 000008
【図７】
2010023363.tif 000009
【図８】
2010023363.tif 000010
【図９】
2010023363.tif 000011
【図１０】
2010023363.tif 000012
【図１１】
2010023363.tif 000013
【図１２】
2010023363.tif 000014
【図１３】
2010023363.tif 000015
【図１４】
2010023363.tif 000016